(57)【特許請求の範囲】
【請求項１】
高低差のある金属製帯板からなる主フレーム体と従フレーム体とが一体化され、主フレーム体の上端には、外側に水平に延びる上頂部の先端部が下方に傾斜する長尺な上斜面部と、従フレーム体の上端には、外側に水平に延びる長尺な下頂部の先端が下方に傾斜する下斜面部とをそれぞれ設け、これら主・従フレーム体の基端部には、脚部に連なる屈曲部を介して開口部が形成され、上記主フレーム体の上端部には、平らな頂部と垂下状の折り曲げ部と折り返し部とからなる幅広な馳折り部とを備える吊子が取り付けられていることを特徴とするタイトフレームであって、
このタイトフレームを所定間隔に複数設置させた隣接し合う母屋間に、Ｔ形ジョイナーの突出部をタイトフレームの開口部にそれぞれ挿通させてＴ形ジョイナーを直交状に配設し、この相対向し合うＴ形ジョイナーの支持部間に天井面に仕上がり面が形成された断熱板を敷設してあり、折板屋根板は、一方側の傾斜部をタイトフレームの上斜面部に沿わせて上頂部に雌馳部の延出部を重ね、かつ吊子の馳折り部内に雌馳部を配し、続く隣接させる次の折板屋根板は、他方側の傾斜部をタイトフレームの下斜面部に沿わせて雄馳部の起立部を吊子の主体面に当接させて雄馳部を馳折り部に被嵌させて本締めを行うこととし、屋根施工と断熱性天井板の敷設とが同時施工できることを目的とするタイトフレーム。
【請求項２】
請求項１記載のタイトフレームを備えたことを特徴とする断熱屋根。
【請求項３】
タイトフレームの溶接位置の墨出しを行う第１工程と、第１工程の墨出しに従って母屋上に所定間隔ごとにタイトフレームを複数溶接により固着する第２工程と、各タイトフレームの開口部内にＴ形ジョイナーの突出部を挿通させてＴ形ジョイナーを母屋間に直交状に配設する第３工程と、天井面に仕上がり面を向けて断熱板は相対向し合うＴ形ジョイナーの支持部間に敷込む第４工程と、一方側のタイトフレームに沿わせて配する折板屋根板の雌馳部に馳折り部を被嵌させながら吊子を各タイトフレームに固定する第５工程と、タイトフレームの中間部において、支持金具の吊子の馳折り部を折板屋根板の雌馳部に被嵌し、支持金具の連結具をＴ形ジョイナーの突出部にボルトを介して取付ける第６工程と、隣接させる折板屋根板を続くタイトフレームに敷込む第７工程と、この敷込んだ折板屋根板の雄馳部を上記一方側の折板屋根板の馳折り部に被嵌させる本締めと、上記中間部の馳折り部に敷込んだ折板屋根板の雄馳部を被嵌させる本締めを行う第８工程とからなることを特徴とする断熱屋根の施工法。
【請求項４】
請求項３記載の第３工程に続いて、Ｔ形ジョイナーにインサートプレートをボルトを介して吊り下げる第９工程と、このインサートプレートに吊りボルトを介して天井下地を設けて内天井板を敷設する第１０工程とからなる断熱屋根の施工法。
【発明の詳細な説明】
【０００１】
【発明の属する技術分野】
本発明は、タイトフレーム及びこれを用いた断熱屋根並びにその施工法に係り、特に、屋根面に断熱を施す折板構造屋根において、屋根施工と断熱性天井板の敷設とが同時施工できることを目的とするタイトフレーム及びこれを用いた断熱屋根及びその施工法に関するものである。
【０００２】
【従来の技術】
従来、断熱・遮音・結露を主目的とする折板構造屋根には、二重構造の折板屋根の間にグラスウールなどの断熱材を配して断熱層を形成する工法と、折板屋根の下面にグラスウールなどの断熱性天井板を吊り下げ材などを介して敷設する工法とが知られている。
【０００３】
【発明が解決しようとする課題】
しかしながら、前者の二重構造の工法は、折板屋根を二重構造にするため、その構造が複雑化すると共に、部品点数が多くなりコスト的にも経費がかかるなどの課題がある。
【０００４】
また、後者の断熱性天井板を敷設する工法は、屋根施工と一緒に天井板の敷設が同時施工できる利点があるが、天井板を吊り下げる構造のため、必然的に部品点数が多くなり、その施工が煩雑化するなどの解決をしなければならない課題が多くある。
【０００５】
本発明は、上記する課題を解決するために創作されたものであり、その部品点数を極力少なくして、施工の簡素化を主目的とする屋根施工と断熱性天井材の敷設とが同時施工できるように工夫した新しい構造のタイトフレーム及びこれを用いた断熱屋根並びにその施工法に関するものである。
【０００６】
【課題を解決するための手段】
上記目的を達成するため、本発明の第１の発明は、高低差のある金属製帯板からなる主フレーム体と従フレーム体とが一体化され、主フレーム体の上端には、外側に水平に延びる上頂部の先端部が下方に傾斜する長尺な上斜面部と、従フレーム体の上端には、外側に水平に延びる長尺な下頂部の先端が下方に傾斜する下斜面部とをそれぞれ設け、これら主・従フレーム体の基端部には、脚部に連なる屈曲部を介して開口部が形成され、上記主フレーム体の上端部には、平らな頂部と垂下状の折り曲げ部と折り返し部とからなる幅広な馳折り部とを備える吊子が取り付けられていることを特徴とするタイトフレームであって、このタイトフレームを所定間隔に複数設置させた隣接し合う母屋間に、Ｔ形ジョイナーの突出部をタイトフレームの開口部にそれぞれ挿通させてＴ形ジョイナーを直交状に配設し、この相対向し合うＴ形ジョイナーの支持部間に天井面に仕上がり面が形成された断熱板を敷設してあり、折板屋根板は、一方側の傾斜部をタイトフレームの上斜面部に沿わせて上頂部に雌馳部の延出部を重ね、かつ吊子の馳折り部内に雌馳部を配し、続く隣接させる次の折板屋根板は、他方側の傾斜部をタイトフレームの下斜面部に沿わせて雄馳部の起立部を吊子の主体面に当接させて雄馳部を馳折り部に被嵌させて本締めを行うこととし、屋根施工と断熱性天井板の敷設とが同時施工できることを目的とするタイトフレームであり、第２の発明は、そのタイトフレームを備えたことを特徴とする断熱屋根である。
【０００７】
本発明の第３の発明は、タイトフレームの溶接位置の墨出しを行う第１工程と、第１工程の墨出しに従って母屋上に所定間隔ごとにタイトフレームを複数溶接により固着する第２工程と、各タイトフレームの開口部内にＴ形ジョイナーの突出部を挿通させてＴ形ジョイナーを母屋間に直交状に配設する第３工程と、天井面に仕上がり面を向けて天井板は相対向し合うＴ形ジョイナーの支持部間に敷込む第４工程と、一方側のタイトフレームに沿わせて配する折板屋根板の雌馳部に馳折り部を被嵌させながら吊子を各タイトフレームに固定する第５工程と、タイトフレームの中間部において、支持金具の吊子の馳折り部を折板屋根板の雌馳部に被嵌し、支持金具の連結具をＴ形ジョイナーの突出部にボルトを介して取付ける第６工程と、隣接させる折板屋根板を続くタイトフレームに敷込む第７工程と、この敷込んだ折板屋根板の雄馳部を上記一方側の折板屋根板の馳折り部に被嵌させる本締めと、上記中間部の馳折り部に敷込んだ折板屋根板の雄馳部を被嵌させる本締めを行う第８工程とからなることを特徴とし、第４の発明は、第３の発明の第３工程に続いて、Ｔ形ジョイナーにインサートプレートをボルトを介して吊り下げる第９工程と、このインサートプレートに吊りボルトを介して天井下地を設けて内天井板を敷設する第１０工程とからなることを特徴とするものである。
【０００８】
【作用】
本発明の第１の発明によれば、幅広な馳折り部を備える吊子であるため、折板屋根板の雄・雌馳部との本締めを行う接触面が広くなり、馳締め部の強い強度を確保でき、折板屋根板は強固に支持固定される。
【０００９】
第２の発明によれば、タイトフレーム、支持金具及びＴ形ジョイナーを主材料とし、断熱板はタイトフレーム、Ｔ形ジョイナー及び折板屋根板で挟込む構造であれば、断熱屋根は、屋根全体が一体化して安定度を備える美しい仕上がりとなる。
【００１０】
第３の発明によれば、断熱板の敷込みと同時に折板屋根板の敷設が可能となり、スピーディーな施工となり、第４の発明によれば、二重構造の屋根が簡易に施工できる。
【００１１】
【発明の実施の形態】
以下、本発明の実施の形態を図面を参照して説明すると、図１は、本発明に係る断熱屋根の施工例の一部切欠説明図、図２は、本発明に用いるタイトフレームの斜視図、図３は、同折板屋根板の斜視図、図４は、同Ｔ形ジョイナーの斜視図、図５は、同吊子の斜視図、図６は、同インサートプレートの斜視図、図７は、同断熱板の斜視図、図８は、同支持金具の斜視図、図９は、二重天井の概略説明図、図１０は、本発明に係る断熱屋根の施工法を示すフローチャートである。
【００１２】
図１に示すように、本発明に係る断熱屋根１は、母屋２に所定間隔ごとに設置させたタイトフレーム３，３を介して互いに隣接し合う折板屋根板４，４，…を連接して折板構造の屋根が構成されている。そして、天井面が仕上げ面となっている断熱性能を備えるグラスウール製の断熱板５，５が敷設されている。
【００１３】
上記タイトフレーム３は、図２に示すように高低差のある金属製帯板からなる主フレーム体７と従フレーム体８とで構成されている。主フレーム体７の上端には、外側に水平状に延びる上頂部９と下方に傾斜する上斜面部１０とが形成されている。従フレーム体８の上端には、外側に水平状に延びる下頂部１１と下方に傾斜する下斜面部１２とが形成され、これら下頂部１１と下斜面部１２とは、主フレーム体７の各構成に比べ、それぞれ低い位置に形成され、かつ下頂部１１とは長めに、下斜面部１２は短めにそれぞれ形成されている。
【００１４】
これら主・従フレーム体７，８は、図示のように主体１３，１４をリベット１５により一体的に取り付けられており、主・従フレーム体７，８の基端部に設けた脚部１６，１７を母屋２に溶接することによりタイトフレーム３が設置できるようにしてある。また、脚部１６，１７には、図示のように脚部１６，１７に連なる屈曲部１８，１９を介して開口部２０が形成され、主フレーム体７の上端部に、ネジ穴２１が設けられている。
【００１５】
タイトフレーム３に支持固定されている折板屋根板４は、断面Ｖ字状からなる金属製の屋根材であり、底部２５の両端部から外側にそれぞれ傾斜状に起立する傾斜部２６，２７が形成され、一方の傾斜部２６の上端部には、外側に向かう水平な延出部２８を介して起立部２９に続く外側に向かう水平部３０と下向き外側に向かう緩い垂下部３１及び下向きの円弧部３２からなるコ字状の雄馳部３３が形成されている。
【００１６】
他方の傾斜部２７には、上記する雄馳部３３に対応させる雌馳部３４が形成されている。つまり、傾斜部２７の上端部には、外側に向かう水平な延出部３５を介して起立部３６と内側に折り返した水平部３７及び垂下状の垂下部３８からなるＬ字状の雌馳部３４が形成されている。なお、この折板屋根板４は、断面Ｖ字状からなる一山構成のものが望ましいが、図示省略する断面Ｗ字状からなる二山構成などの折板を使用してもよい。
【００１７】
上記構成の折板屋根板４，４，…は、タイトフレーム３，３，…にそれぞれ取り付けた吊子４１を介して母屋２の上に支持固定されている。つまり、この吊子４１は、図５に示すように幅広な馳折り部４２を形成することにより、上記する折板屋根板４の雄・雌馳部３３，３４との本締め４８を行う接触面を広くして、馳締め部の強い強度を確保するように構成することが望ましい。具体的には、この馳折り部４２は、吊子４１の上端部には、一方側に平らな頂部４３とこれに続く垂下状の折り曲げ部４４と鋭角状の折り返し部４５とが形成されている。また、この吊子４１の主体４６は、下端側にネジ穴４７を有し、かつ上端側が幅広な角状に形成されている。吊子４１は、ネジ穴４７とタイトフレーム３のネジ穴２１とにボルト５３を通し、ナット５４を螺着させて取り付けるようにしてある。
【００１８】
そして、折板屋根板４は、一方の傾斜部２７をタイトフレーム３の上斜面部１０に沿わせながら上頂部９に延出部３５を重ねると共に、タイトフレーム３に取り付けた吊子４１の馳折り部４２内に雌馳部３４を配し、続いて、隣接させる次の折板屋根４は、傾斜部２６をタイトフレーム３の下斜面部１２に沿わせながら起立部２９を吊子４１の主体４６面に当接させて上記馳折り部４２に雄馳部３３を被嵌させることにより、雄馳部３３の垂下部３１と円弧部３２のスプリング性によって馳折り部４２における雄・雌馳部３３，３４の本締め４８は強固に支持固定され、以下順次折板屋根４，４，…が敷設されている。
【００１９】
上記折板屋根４，４，…の下面には、図７に示す断熱板５，５がＴ形ジョイナー５５を介して敷設されている。この断熱板５は、天井面に仕上がり面５２が形成される断熱性能を備えるグラスウールなどで構成されている。
【００２０】
Ｔ形ジョイナー５５は、断面Ｔ字状からなる長尺構成であり、図４のように幅広な金属板の中央部が起立状に２重に折り曲げた構成の突出部５６を備え、水平状の支持部５７，５７の両端に折り返し部５８がそれぞれ形成されているが、折り返し部５８の構成は任意である。
【００２１】
上記Ｔ形ジョイナー５５は、上記タイトフレーム３の開口部２０内に突出部５６を配すると共に、隣接し合う母屋２，２，間に直交状に配置させて、相対向し合う支持部５７に仕上がり面５２を室内側に向けて断熱板５の長手方向両端部を支持させてある。
【００２２】
また、本発明では、タイトフレーム３，３間の中間部における折板屋根板４，４の撓みを防ぐため、図８に示す上記吊子４１のネジ穴４７に長尺な金属製の連結具６１がリベット６２を介して垂下状に取り付け、下端部にネジ穴６３を設けた支持金具６０を使用している。つまり、図９に示すように、上記中間部の折板屋根板４，４の雄・雌馳部３３，３４間に支持金具６０の馳折り部４２を介在させ、連結具６１の下端部を上記Ｔ形ジョイナー５５の突出部５６に当接させ、ネジ穴６３を介して突出部５６にボルト６４とナット６５とで固定させることにより、上記する撓みを防止している。
【００２３】
さらに、本発明の場合、図６に示すインサートプレート６７を使用して二重天井構造に構成できる。このインサートプレート６７は、断面Ｌ字状の金属製の板材からなり、主体６８に複数のネジ穴６９，６９，…が形成され、基端部の水平状の支持部７０にネジ穴７１に通じるナット７２が固着されている。
【００２４】
そして、このインサートプレート６７は、図示の場合、上記支持金具６０をＴ形ジョイナー５５の突出部５６に固定させてあるボルト６４に、突出部５６の折り曲げ空間部５９に内設させた主体６８のネジ穴６９を通して吊り下げ、このインサートプレート６７を介して従来周知の天井下地を構成して、内天井板７３が取り付けてある。具体的には、インサートプレート６７の支持部７０のネジ穴６９に吊りボルト７５の上端部を通してナット７２に螺着させると共に、下端部を野縁受け７６のネジ穴のナット７７に螺着させた上、この野縁受け７６に野縁７８を取り付けて、プレートハンガーなどの金物（図示省略）を介して内天井板７３が取り付けられている。なお、インサートプレート６７の吊り下げは、上記ボルト６４に限定されず、Ｔ形ジョイナー５５の任意な位置の突出部５６に取り付けることができる。
【００２５】
次に、本発明に係る断熱屋根の施工法について説明する。第１工程として、タイトフレーム３の溶接位置の墨出しを行う。そして、この墨出しに従って、第２工程として、タイトフレーム３を、母屋２上に所定の間隔ごとに溶接により複数固着させた後、第３工程として、各タイトフレーム３の開口部２０内に、Ｔ形ジョイナー５５の突出部５６を挿通させて母屋２，２間に直交状にＴ形ジョイナー５５を配設する。続く第４工程として、相対向し合うＴ形ジョイナー５５の支持部５８，５８間に天井面に仕上がり面５２を向けて断熱板５を敷込む。
【００２６】
第５工程として、一方側のタイトフレーム３に沿わせて位置させる折板屋根板４を配し、この各タイトフレーム３の位置において、折板屋根板４の雌馳部３４に馳折り部４２を被嵌させながら吊子４１をタイトフレーム３の上端部にボルト５３とナット５４で固定する。第６工程として、上記タイトフレーム３，３間の中間部における折板屋根板４の雌馳部３４に、支持金具６０の馳折り部４２を被嵌し、また、連結具６１のネジ穴６３を介してＴ形ジョイナー５５の突出部５６の側面にボルト６４とナット６５で支持金具６０を取り付ける。第７工程として、上記一方側の折板屋根板４に隣接させる折板屋根板４を次のタイトフレーム３に沿わせて敷込む。そして、第８工程として、敷込んだ折板屋根板４の雄馳部３３を上記折板屋根板４の馳折り部４２に被嵌して本締め４８を行うと共に、上記中間部における支持金具６０の馳折り部４２にも敷込んだ雄馳部３３を被嵌させて本締め４８を行い、順次隣接し合う折板屋根板４，４を敷設させて断熱屋根１を構成する。
【００２７】
また、上記断熱屋根１を二重天井構造とするためには、第３工程のＴ形ジョイナー配設に続いて、第９工程として、Ｔ形ジョイナー５５にインサートプレート６７をボルト６４とナット６５を介して吊り下げる。さらに、第１０工程として、このインサートプレート６７に吊りボルト７５を介して野縁受け７６，野縁７８を設ける天井下地を構成し、第１１工程として、上記野縁７８に金物を介して内天井板７３を敷設する。
【００２８】
【発明の効果】
本発明によれば、次の効果がある。
▲１▼  本発明に係るタイトフレームは、幅広な馳折り部であるため、折板屋根板の雄・雌馳部との馳締めを行う接触面が広くなり、馳締め部の強い強度を確保することができ、折板屋根板を強固に支持固定できる。また、断熱板を支持するＴ形ジョイナーは、タイトフレームの基端部に設けた開口部内に挿通させてあるため、断熱板の敷設時に障害になることがなく、断熱板の安定度が向上し、その構造も簡素化できる。
▲２▼  本発明に係る断熱屋根は、タイトフレーム、支持金具及びＴ形ジョイナーを主材料とする構造であり、部品点数が少なく、安価に敷設できる断熱尾根である。また、断熱性のある断熱板は、タイトフレームに取り付けたＴ形ジョイナーの支持部に長手方向の両端部を支持させればよく、断熱板は簡易に敷設できる。さらに、断熱板は、タイトフレーム、Ｔ形ジョイナー及び折板屋根板で挟み込む構造であれば、この断熱屋根は、屋根全体が一体化して安定度を備える仕上がりとなる。
▲３▼  本発明に係る施工法によれば、断熱板の敷込みと同時に折板屋根板の敷設が可能となり、その施工がスピーディとなり、安価に施工でき経済性の優れた施工法である。また、二重構造の場合にも、インサートプレートを介して内天井板を簡易に施工できる。
【図面の簡単な説明】
【図１】本発明に係る断熱屋根の施工例の一部切欠説明図。
【図２】本発明に用いるタイトフレームの斜視図。
【図３】同折板屋根板の斜視図。
【図４】同Ｔ形ジョイナーの斜視図。
【図５】同吊子の斜視図。
【図６】同インサートプレートの斜視図。
【図７】同断熱板の斜視図。
【図８】同支持金具の斜視図。
【図９】二重天井の概略説明図。
【図１０】本発明に係る断熱屋根の施工法を示すフローチャート。
【図１】
0003911543.tif 000002
【図２】
0003911543.tif 000003
【図３】
0003911543.tif 000004
【図４】
0003911543.tif 000005
【図５】
0003911543.tif 000006
【図６】
0003911543.tif 000007
【図７】
0003911543.tif 000008
【図８】
0003911543.tif 000009
【図９】
0003911543.tif 000010
【図１０】
0003911543.tif 000011